(57)【要約】【課題】従来よりも確実に遊技球に付着した糸状部材を切断することができる遊技機を提供する。【解決手段】フレーム部材３１の前面側では右側へ、フレーム部材３１の後面側では左側へ夫々遊技球を送る整流路において、貫通孔３９を介してフレーム部材３１の前面側から後面側へ遊技球を送る第２流路３７の左壁に、第２流路３７の上流端から下流側へ延びるスリット４５を開設するとともに、第２流路３７の左側に、スリット４５から整流路外へ引き出された糸状部材と接触して糸状部材を切断するための糸切り部材４３を取り付けた。したがって、遊技球に付着された糸状部材と糸切り部材４３とを確実に干渉させることができ、糸状部材を確実に切断することができる。【選択図】図５
2015136486.tif 000002
【特許請求の範囲】
【請求項１】
遊技機本体を支持する機枠の前面側に、前扉が片開き可能に備えられており、
前記前扉の前面側に、払出手段により払い出された遊技球を貯留する供給機構が設けられている一方、前記前扉の後面側に、遊技球を発射するための発射手段が設けられており、さらに、前記供給機構から前記発射手段にわたり、前記供給機構が貯留する遊技球を前記発射手段へ送るための整流路が設けられた遊技機であって、
前記前扉に、前記前扉の前面側から後面側へ遊技球を送るための貫通孔を設ける一方、
前記整流路として、前記前扉の前面側で前記貫通孔に連通し、前記貫通孔へ向かい左右何れか一方側へ遊技球を流下させる第１流路部と、前記前扉の後面側で前記貫通孔に連通し、前記貫通孔を介して流入した遊技球を後方へ流下させる第２流路部と、前記第２流路部の下流端に連通し、左右何れか他方側へ遊技球を流下させる第３流路部とを設け、
さらに、前記第２流路部における前記第１流路部及び前記第３流路部が延びる側の側面に、前記第２流路部の上流端から下流側へ向かって延びるスリットを設けるとともに、前記スリットの前記整流路外側となる位置に、前記スリットを介して前記整流路外へ出た糸状部材と接触すると、前記糸状部材が付着された遊技球が前記発射手段から発射されることにより前記糸状部材を切断する糸切り手段を設けたことを特徴とする遊技機。
【請求項２】
前記第２流路部を四角筒状に形成するとともに、前記スリットの下側の前記側面を、上側へ向かうにつれて前記整流路外側へ傾斜するテーパ面としたことを特徴とする請求項１に記載の遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機では、釣り糸やピアノ線等の糸状部材を付着させた遊技球を遊技領域内へ打ち込み、遊技領域内で遊技球を操ってチューリップ式電動役物等へ不正に入賞させるという不正行為が問題となっている。そこで、そのような不正行為を防止すべく、遊技球を発射する発射装置へ送り込むための開口部に糸切り部材を設けたり（たとえば特許文献１）、発射装置と発射通路を構成するレールとの間に糸切り部材を設けたり（たとえば特許文献２）するものが考案されている。
【先行技術文献】
【特許文献】
【０００３】
【特許文献１】特開２０１２−１００９７４号公報
【特許文献２】特開２０１２−２３１８４８号公報
【発明の概要】
【発明が解決しようとする課題】
【０００４】
しかしながら、従来の遊技機では、遊技球に付着した糸状部材が糸切り部材に上手く干渉せず、糸切り部材を設けているにも拘わらず糸状部材を切断することができないことがあり、新たな構成を有する糸切り機構を備えた遊技機の実現が望まれている。
【０００５】
そこで、本発明は、上記問題に鑑みなされたものであって、従来よりも確実に遊技球に付着した糸状部材を切断することができる遊技機を提供しようとするものである。
【課題を解決するための手段】
【０００６】
上記目的を達成するために、本発明のうち請求項１に記載の発明は、遊技機本体を支持する機枠の前面側に、前扉が片開き可能に備えられており、前記前扉の前面側に、払出手段により払い出された遊技球を貯留する供給機構が設けられている一方、前記前扉の後面側に、遊技球を発射するための発射手段が設けられており、さらに、前記供給機構から前記発射手段にわたり、前記供給機構が貯留する遊技球を前記発射手段へ送るための整流路が設けられた遊技機であって、前記前扉に、前記前扉の前面側から後面側へ遊技球を送るための貫通孔を設ける一方、前記整流路として、前記前扉の前面側で前記貫通孔に連通し、前記貫通孔へ向かい左右何れか一方側へ遊技球を流下させる第１流路部と、前記前扉の後面側で前記貫通孔に連通し、前記貫通孔を介して流入した遊技球を後方へ流下させる第２流路部と、前記第２流路部の下流端に連通し、左右何れか他方側へ遊技球を流下させる第３流路部とを設け、さらに、前記第２流路部における前記第１流路部及び前記第３流路部が延びる側の側面に、前記第２流路部の上流端から下流側へ向かって延びるスリットを設けるとともに、前記スリットの前記整流路外側となる位置に、前記スリットを介して前記整流路外へ出た糸状部材と接触すると、前記糸状部材が付着された遊技球が前記発射手段から発射されることにより前記糸状部材を切断する糸切り手段を設けたことを特徴とする。
請求項２に記載の発明は、請求項１に記載の発明において、前記第２流路部を四角筒状に形成するとともに、前記スリットの下側の前記側面を、上側へ向かうにつれて前記整流路外側へ傾斜するテーパ面としたことを特徴とする。
【発明の効果】
【０００７】
本発明によれば、前扉に、前扉の前面側から後面側へ遊技球を送るための貫通孔を設ける一方、整流路として、前扉の前面側で貫通孔に連通し、貫通孔へ向かい左右何れか一方側へ遊技球を流下させる第１流路部と、前扉の後面側で貫通孔に連通し、貫通孔を介して流入した遊技球を後方へ流下させる第２流路部と、第２流路部の下流端に連通し、左右何れか他方側へ遊技球を流下させる第３流路部とを設け、さらに、第２流路部における第１流路部及び第３流路部が延びる側の側面に、第２流路部の上流端から下流側へ向かって延びるスリットを設けるとともに、スリットの整流路外側となる位置に糸状部材を切断するための糸切り手段を設けている。したがって、糸状部材が付着された不正な遊技球が発射装置へ送られた際、糸状部材が引っ張られるような格好でスリットから整流路外へ出るため、糸状部材と糸切り手段とを確実に接触させることができる。すなわち、糸状部材を確実に切断することができる。
また、請求項２に記載の発明によれば、スリットの下側の側面を、上側へ向かうにつれて整流路外側へ傾斜するテーパ面としているため、糸状部材をスムーズにスリットへ導くことができ、一層確実に糸状部材を切断することができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】前扉を後面側から示した説明図である。
【図５】図４中のＡ−Ａ線断面を示した説明図である。
【図６】整流路内を流れる遊技球を示した説明図である。
【図７】支持体を示した説明図であり、（ａ）は上側から、（ｂ）は前側から、（ｃ）は右側から夫々示している。
【図８】支持体の斜視説明図である。
【図９】図７中のＢ−Ｂ線断面を示した説明図である。
【図１０】図７中のＣ−Ｃ線断面を示した説明図である。
【図１１】図７中のＤ−Ｄ線断面を示した説明図である。
【図１２】図７中のＥ−Ｅ線断面を示した説明図である。
【図１３】糸切り部材を示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むように電動役物７０等を備えたセンター部材２６が遊技盤２に設置されており、該センター部材２６の下方には、遊技球が入賞可能な始動入賞口１９が設けられている。また、センター部材２６の左方には、遊技球が流下可能な左打ち用スペースＳＬが形成されており、左打ち用スペースＳＬを流下する遊技球に限り、始動入賞口１９へ入賞し得るようになっている。
【００１２】
一方、センター部材２６の右方にも遊技球が流下可能な右打ち用スペースＳＲが形成されている。また、該右打ち用スペースＳＲには、遊技球が通過可能なゲート部材２０と、動作可能な舌片（図示せず）を備えた始動入賞役物１７とが設けられている。該始動入賞役物１７は、舌片の作動に伴い、内蔵された入賞口（図示せず）への遊技球の入賞を可能とする開状態と、入賞口への遊技球の入賞を不可能とする閉状態との何れか一方の状態へ変化するようになっている。さらに、右打ち用スペースＳＲの下部（センター部材２６の下方で、始動入賞口１９の右側となる位置）には、開閉可能な扉部材を有する２つの大入賞アタッカー１８ａ、１８ｂが設置されている。そして、遊技球を左打ち用スペースＳＬではなく右打ち用スペースＳＲを流下させることにより、ゲート部材２０を通過させたり、開状態にある始動入賞役物１７へ入賞させたり、さらには開成した大入賞アタッカー１８ａ、１８ｂへ効率良く入賞させることができる。なお、センター部材２６の左右を問わず、遊技領域１６の略全面には多数の遊技釘（図示せず）が植設されている。また、遊技領域１６外となる遊技盤２の右下部には、特別図柄を表示するための７セグメント表示器からなる特別図柄表示部（図示せず）が設けられている。
【００１３】
また、機枠３の前面側であって上記遊技盤２の下方には、発射装置１０（図４に示す）へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な押しボタン２５が設けられている。
さらに、前扉４の上部及び下部には、効果音や各種メッセージ等を報音する夫々一対のスピーカ１４、１４が設けられている。加えて、前扉４の上部や左右両側部には、パチンコ機１の遊技状態等に応じて点灯・点滅する複数のＬＥＤを内蔵したランプ部材１５、１５・・が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１５】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させて始動入賞口１９への遊技球の入賞を狙う。そして、遊技球の入賞検知に起因して実行される所謂大当たり抽選の結果が「大当たり」になると、特別図柄表示部及び演出用表示部６に夫々所定の「大当たり図柄」が確定表示される（たとえば、演出用表示部６に「７、７、７」と確定表示させる）。また、「大当たり図柄」が確定表示されると、大入賞アタッカー１８ａ、１８ｂの扉部材を所定回数にわたって断続的に開成させるといった所謂「大当たり状態」が生起する。そこで、遊技者は、右打ち用スペースＳＲを流下させる「右打ち」を行い、断続的に開成する大入賞アタッカー１８ａ、１８ｂへの遊技球の入賞を狙う。
【００１６】
また、大当たり状態終了後、特別図柄表示部での図柄の確定表示回数が所定回数に達するまで、始動入賞役物１７が頻繁に開状態となる所謂時短状態が生起する。そこで、遊技者は、当該時短状態が終了するまで「右打ち」を継続して、ゲート部材２０への遊技球の通過、及び始動入賞役物１７への遊技球の入賞を狙う。そして、図柄の確定表示回数が所定回数に達して時短状態が終了すると、「右打ち」を止めて左打ち用スペースＳＬを流下させる上記遊技へと戻る。
【００１７】
（糸切り機構についての説明）
ここで、本発明の要部となる糸切り機構について、図４〜図１３にもとづき詳細に説明する。
図４は、前扉４を後面側から示した説明図である。図５は、図４中のＡ−Ａ線断面を示した説明図である。図６は、整流路内を流れる遊技球を示した説明図である。図７は、支持体４１を示した説明図であり、（ａ）は上側から、（ｂ）は前側から、（ｃ）は右側から夫々示している。図８は、支持体４１の斜視説明図である。図９は、図７中のＢ−Ｂ線断面を示した説明図である。図１０は、図７中のＣ−Ｃ線断面を示した説明図である。図１１は、図７中のＤ−Ｄ線断面を示した説明図である。図１２は、図７中のＥ−Ｅ線断面を示した説明図である。図１３は、糸切り部材４３を示した説明図である。
【００１８】
前扉４は、略四角形枠状に一体成形された合成樹脂製のフレーム部材３１を有しており、当該フレーム部材３１の下辺部の前面側には、供給皿７を有する供給皿ユニット３２、スピーカ１４を有するスピーカユニット３３、３３、及び押しボタン２５を有するボタンユニット３４等が設置されている。また、フレーム部材３１の下辺部の後面側には、発射装置１０等が設置されている。そして、供給皿ユニット３２から発射装置１０にかけて、供給皿７内の遊技球を発射装置１０へ供給するための整流路が形成されている。
【００１９】
整流路は、フレーム部材３１の前面側を右側へ向かって下降傾斜する第１流路３６と、フレーム部材３１の後面側を左側へ向かって下降傾斜する第３流路３８と、第１流路３６の下流端と第３流路３８の上流端とを連通させる第２流路３７とを備えてなる。第１流路３６は、供給皿７から右側へ延びる流路であって、供給皿ユニット３２の一部として設けられている。そして、供給皿ユニット３２をフレーム部材３１の前面側の所定位置に設置することにより、第１流路３６は、フレーム部材３１の下辺部の前面に沿って延設されることになる。また、フレーム部材３１における第１流路３６の右端（下流端）の右側に隣接する位置には、遊技球をフレーム部材３１の前面側から後面側へと送るための四角孔状の貫通孔３９が開設されている。さらに、第１流路３６の右端には、流路変更部材４０が取り付けられている。該流路変更部材４０は、第１流路３６や第３流路の素材となる第１の合成樹脂（たとえば、ＡＢＳ樹脂）よりも強度の高い第２の合成樹脂（たとえば、ＰＯＭ）により形成されてなるものであって、上面視扇状の流路を有しており、第１流路３６と貫通孔３９とを連通させ、遊技球の流下方向を右方向から後方向へ変更するようになっている。
【００２０】
一方、フレーム部材３１の後面側には、貫通孔３９から後方へ延びる第２流路３７が設けられている。第２流路３７は、前後方向へ延びる略四角筒状の糸切り流路部４２と、その後端において遊技球の流下方向を後方向から左方向へ変更する流路変更部とを有している。また、糸切り流路部４２の下流端から発射装置１０にかけて、全体としては左側へ延びる第３流路３８が設けられている。そして、糸切り流路部４２の左側に糸切り部材４３が取り付けられており、該糸切り部材４３と糸切り流路部４２の左壁とにより、糸切り機構が構成されている。なお、４１は、フレーム部材３１の後面に設置可能な支持体であり、該支持体４１をフレーム部材３１の後面側の所定位置に設置することにより、糸切り流路部４２は、貫通孔３９から後方へ延びるように設けられることになる。また、支持体４１には、糸切り部材４３を保持するための保持部４４等も設けられている。
【００２１】
糸切り機構に関し、まず糸切り流路部４２の左壁から説明すると、左壁は、その前端面が貫通孔３９内に露出するように設けられている。そして、該左壁に、糸状部材を引き込むためのスリット４５が設けられている。スリット４５は、左壁を上壁４６と下壁４７とに分断するように、左壁の前端から後端にかけて（第２流路３７の上流端から下流側へ）一連に延設されている。また、スリット４５の上下幅（すなわち、上壁４６の下縁と下壁４７の上縁との距離）は、左壁の前端箇所において最も広くなっているとともに、後側へ向かうにつれ、主に下壁４７の上縁が上側へ延びて上壁４６の下縁に近接する態様で徐々に狭くなっている。さらに、下壁４７は、鉛直方向から左側へ傾斜する傾斜壁としており、下壁４７の流路内側の面を、上方へ向かうにつれて整流路外側へ傾斜するテーパ面としている。なお、上壁４６は、略鉛直方向へ延びる垂直壁としており、上壁４６の下縁と下壁４７の上縁とは鉛直方向で略対向するようになっている。
【００２２】
次に糸切り部材４３について説明すると、糸切り部材４３は、金属製の薄板部材を略Ｌ字状に折り曲げて前面及び上面としたものであり、糸切り部材４３の上面には、上面と略平行に右側へ突出する第１舌片４８と、第１舌片４８の後部を第１舌片４８から切り離して下方へ折り曲げる格好で形成された第２舌片４９とが設けられている。そして、当該糸切り部材４３は、第１舌片４８の先端が上壁４６の下縁に、第２舌片４９の先端が、スリット４５の上下幅が最も狭くなる位置における下壁４９の上縁に夫々当接するような姿勢で、糸切り流路部４２の左側（スリット４５び整流路外側）に取り付けられている。
【００２３】
ここで、上記糸切り機構での糸切り作用について説明する。
供給皿７内の遊技球は、第１流路３６を右側へ流下し、第２流路３７で流下方向をかえて後側へ流下した後、その下流端で流下方向を左側へ変更し、第３流路３８を左側へ流下して発射装置１０へ至る。そして、当然ながら糸状部材を付着させた不正な遊技球も同様の経路をたどるため、不正な遊技球が発射装置１０へ至るにあたり、第１流路３６〜第３流路３８にわたり延びる糸状部材は、左側へ引っ張られることになる。そのため、第１流路３６から第２流路３７にかけて折れ曲がる糸状部材は、糸切り流路部４２の左壁の前端側からスリット４５を介して整流路外へ引き出され、その一部が糸切り部材４３の第１舌片４８と第２舌片４９との交差部に接触する。そして、この状態において発射装置１０が作動し不正な遊技球が発射されると、糸状部材は、第１舌片４８と第２舌片４９との交差部との摩擦により、当該接触した箇所で切断される。
【００２４】
（本実施形態のパチンコ機による効果）
以上のような構成を有するパチンコ機１によれば、フレーム部材３１の前面側では右側へ、フレーム部材３１の後面側では左側へ夫々遊技球を送る整流路において、貫通孔３９を介してフレーム部材３１の前面側から後面側へ遊技球を送る第２流路３７の左壁に、第２流路３７の上流端から下流側へ延びるスリット４５を開設するとともに、第２流路３７の左側に、スリット４５から整流路外へ引き出された糸状部材と接触して糸状部材を切断するための糸切り部材４３を取り付けている。したがって、遊技球に付着された糸状部材と糸切り部材４３とを確実に干渉させることができ、糸状部材を確実に切断することができる。
【００２５】
また、スリット４５の上下幅を、左壁の前端箇所において最も広くするとともに、後側へ向かうにつれ徐々に狭くなるようにしている。したがって、糸状部材がより確実にスリット４５内へ入り込むようになっているとともに、スリット４５内へ入り込んだ糸状部材をより確実に糸切り部材４３に干渉させることができる。
さらに、スリット４５の下方に位置する下壁４７の流路内側の面を、上方へ向かうにつれて整流路外側へ傾斜するテーパ面としているため、糸状部材を一層スムーズにスリット４５側へ導くことができ、ひいては一層確実に切断することができる。
【００２６】
（本発明の変更例について）
なお、本発明の遊技機に係る構成は、上記実施形態に何ら限定されるものではなく、遊技機全体の構成は勿論、整流路や糸切り機構に係る構成についても、本発明の趣旨を逸脱しない範囲で必要に応じて適宜変更可能である。
【００２７】
たとえば、供給皿から発射装置までの遊技球の流下態様（つまり、整流路の配設態様）をどのようにするかについては適宜変更可能であり、フレーム機構の前面側で左側へ下降傾斜するような整流路を設けてもよいし、フレーム機構の前面側において左右方向で下降傾斜させる整流路を設けるにあたり、上面視で前後に傾くような整流路としたり、上面視で前後に湾曲するような整流路としても何ら問題はない。
また、糸切り手段を整流路のどちら側に設けるかについても、整流路の形態に応じて適宜変更可能であるし、スリットの上流端から下流側への長さをどの程度とするかや、スリット上下幅等についても言うまでもなく変更設計可能である。
【００２８】
さらに、上記実施形態では、流路変更部材を第１流路に対して着脱自在としているが、第１流路と一体的な流路変更部を設けるといった構成を採用することも可能である。
さらにまた、上記実施形態では、前扉のフレーム機構を、略四角形枠状に一体成形された合成樹脂製のフレーム部材としているが、複数の部材を組み付けたり、一部金属製の部材を組み付けたりしてフレーム機構を構成することは当然可能である。
【００２９】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、前扉、払出手段、供給機構、発射手段、整流路、第１流路部〜第３流路部、スリット、糸切り手段等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、全ての要素のうちの複数の要素を適宜一体的に構成するか、もしくはひとつの要素を複数の要素に分けて構成するかは、敢えて特許請求の範囲等において特定していない限り、何れも当業者であれば容易に考えられる事項である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３０】
１・・パチンコ機（遊技機）、４・・前扉、７・・供給皿（供給機構）、１０・・発射装置（発射手段）、３１・・フレーム部材（フレーム機構）、３６・・第１流路（第１流路部）、３７・・第２流路（第２流路部）、３８・・第３流路（第３流路部）、３９・・貫通孔、４０・・流路変更部材（第１流路部）、４１・・支持体、４２・・糸切り流路部（第２流路部）、４３・・糸切り部材（糸切り手段）、４５・・スリット、４６・・上壁、４７・・下壁、４８・・第１舌片、４９・・第２舌片。
【図１】
2015136486.tif 000003
【図２】
2015136486.tif 000004
【図３】
2015136486.tif 000005
【図４】
2015136486.tif 000006
【図５】
2015136486.tif 000007
【図６】
2015136486.tif 000008
【図７】
2015136486.tif 000009
【図８】
2015136486.tif 000010
【図９】
2015136486.tif 000011
【図１０】
2015136486.tif 000012
【図１１】
2015136486.tif 000013
【図１２】
2015136486.tif 000014
【図１３】
2015136486.tif 000015